(57)【要約】【課題】タモの柄等の竿体を確実に保持すると共に、釣人が容易に挿脱することができるロッドホルダーを提供すること。【解決手段】このロッドホルダー３０は、フィッシングベルト１０の腰パッド１５に取り付けられる。ロッドホルダー３０はベースシート３２を有する。ベースシート３２の表面４５にブロック３４，３５が立設されている。ブロック３４，３５は、表面４５の中央部に横方向４２へ所定距離Ｄを隔てて配置されている。ブロック３４，３５の間に幅Ｄの保持溝３９が形成されている。釣人は、ロッドホルダー３０が取り付けられたフィッシングベルト１０を腰回りに装着すると、保持溝３９と身体との間に隙間が形成される。釣人は、この隙間にタモの柄を挿抜する。【選択図】図２
2010041956.tif 000002
【特許請求の範囲】
【請求項１】
表面及び裏面を有すると共に可撓性及び少なくとも上下方向の伸縮性を備え、平面状に展開された第１姿勢と上記表面が外側面となり上記裏面が内側面となるように筒状に形成された第２姿勢との間で姿勢変化可能なベースシートと、
ベースシートの上記表面に突設された保持ブロックとを有し、
保持ブロックは、当該保持ブロックの上面から下面に貫通し、竿体が挿抜され得る保持溝を備えているロッドホルダー。
【請求項２】
上記表面において少なくとも上記保持溝が存在する部位に可撓性を備えた第２シートが設けられており、
第２シートの上縁のうち上記保持溝の上端に対応する部位及び第２シートの下縁のうち上記保持溝の下端に対応する部位は、それぞれ、上向き及び下向きに延べ拡げられている請求項１に記載のロッドホルダー。
【請求項３】
上記保持溝は、上側に向かって漏斗状に拡がっている請求項１又は２に記載のロッドホルダー。
【請求項４】
上記保持溝は、上下方向に対して傾斜している請求項１から３のいずれかに記載のロッドホルダー。
【請求項５】
上記保持ブロックは、硬度２０〜６０（ＳＲＩＳ０１０１）のウレタンフォームからなるコア部材を備えている請求項１から４のいずれかに記載のロッドホルダー。
【請求項６】
上記保持溝は上下方向に対して０°（ｄｅｇｒｅｅ）を超え４５°以下の角度で傾斜しており、上記保持溝の溝幅は３０ｍｍ〜４０ｍｍに設定されている請求項１から５のいずれかに記載のロッドホルダー。
【発明の詳細な説明】
【技術分野】
【０００１】
本発明は、防波堤でのいわゆる落とし込み釣り、鮎釣り、渓流釣り等に使用されるロッドホルダーの構造に関するものである。
【背景技術】
【０００２】
たとえば防波堤から黒鯛を狙う釣りでは、「落とし込み釣り」と称される釣法が採用されることがある。この落とし込み釣りでは、釣人は、防波堤を徒歩で移動しながらヒットポイント（ターゲットがヒットする釣場）を模索する。したがって、釣人は、例えばタモ網（玉網ともいう。）及びタモの柄（玉の柄ともいう。）、餌箱や釣糸その他の小物等の釣道具などを常に携帯しなければならない。釣人にとって、特にタモ網及びタモの柄のような比較的大型の道具を携帯することは容易ではないが、タモ網は、ヒットした魚をすくうために必携である。
【０００３】
タモ網及びタモの柄は、実釣において迅速に取り出され、ヒットした魚を取り込んだ後には実釣の妨げにならないように迅速に収納されなければならない。このことは、柄付きのタモ網が使用される鮎釣りや渓流釣りにおいても要請されることである。そのため、従来では、タモ網を保持すると共に所要時に釣人が取り出すことができるホルダーが提供されている（例えば、特許文献１、特許文献２、非特許文献１参照）。
【０００４】
【特許文献１】特開２００３−２３５４０３号公報
【特許文献２】特開２００６−２３０３０８号公報
【非特許文献１】２００８シマノフィッシングタックルカタログ（第２５８頁）
【発明の開示】
【発明が解決しようとする課題】
【０００５】
特に落とし込み釣り等では、全長が５ｍ程度のタモの柄が一般に使用される。このため、タモの柄及びタモ網の重量が重くなり、従来のホルダーでは保持力に欠けるという問題がある。その結果、釣人は、実釣中にタモの柄を安定して携帯することができず、釣りに集中しにくくなるという問題がある。
【０００６】
そこで、本発明の目的は、タモの柄等の竿体を確実に保持すると共に、釣人が容易に挿脱することができるロッドホルダーを提供することである。
【課題を解決するための手段】
【０００７】
(1) 上記目的が達成されるため、本発明に係るロッドホルダーは、表面及び裏面を有すると共に可撓性及び少なくとも上下方向の伸縮性を備え、平面状に展開された第１姿勢と上記表面が外側面となり上記裏面が内側面となるように筒状に形成された第２姿勢との間で姿勢変化可能なベースシートと、ベースシートの上記表面に突設された保持ブロックとを有し、保持ブロックは、当該保持ブロックの上面から下面に貫通し、竿体が挿抜され得る保持溝を備えている。
【０００８】
このロッドホルダーは、たとえば釣人が使用するフィッシングベルトに装着されて使用されるのが好適である。フィッシングベルトは釣人の下腹部に横方向（上下方向に直交する方向）に巻き付けられるものであり、このフィッシングベルトに小物入れや鮎釣用曳舟アンカー等が装着される。上記ロッドホルダーもこのフィッシングベルトに装着される。具体的には、ベースシートは、第１姿勢に展開された状態で裏面がフィッシングベルトに当接するように重ねられ、当該フィッシングベルトに巻き付けられるように第２姿勢に変化される。つまり、ベースシートの裏面が内側面となりベースシートの表面が外側面となるように筒状に形成される。このとき、ベースシートが上下方向に弾性的に伸ばされながらフィッシングベルトに巻き付けられることにより、ベースシートの緊迫力によってロッドホルダーがフィッシングベルトに確実に固定される。
【０００９】
保持ブロックは、釣人が当該フィッシングベルトを装着した際にその表面が釣人の腰に当接する位置に配置される。保持ブロックは、ベースシートの表面に突設されているから、釣人がフィッシングベルトを装着した状態で、保持ブロックが釣人の腰に押圧される。この状態で竿体（典型的にはタモの柄）は保持溝に挿入される。この保持溝は、保持ブロックの上面から下面に貫通しているから、釣人は、竿体を簡単に保持溝に挿入することができる。また、保持ブロックが釣人の腰に当接されているから、保持溝に挿入された竿体は、保持溝を区画する壁面および釣人の身体（腰部）によって囲繞される。実釣においては、この竿体は、釣人の背中に配置され、保持ブロックに押さえつけられた状態で保持される。釣人は、この竿体をいつでも保持ブロックから取り出すことができる。具体的には、釣人は、実釣において魚がヒットした場合に、竿体を把持して保持溝から引き抜くことができる。
【００１０】
(2) 上記表面において少なくとも上記保持溝が存在する部位に、可撓性を備えた第２シートが設けられているのが好ましい。第２シートの上縁のうち上記保持溝の上端に対応する部位及び第２シートの下縁のうち上記保持溝の下端に対応する部位は、それぞれ、上向き及び下向きに延べ拡げられているのが好ましい。
【００１１】
竿体が保持溝に対して挿抜されるときは、釣人は、竿体をベースシートに沿ってスライドさせると挿抜作業がしやすい。ただし、竿体がベースシートに接触するから、ベースシートが損傷を受ける可能性がある。この発明では、第２シートが設けられることにより、ベースシートが第２シートによって被覆される。したがって、竿体が繰り返し挿抜されたとしても、ベースシートが損傷を受けることが回避される。しかも、第２シートの上縁及び下縁のうち前述の部位が延べ拡げられているから、釣人は、竿体の挿抜作業を円滑に行うことができる。すなわち、仮に第２シートの上記部位が延べ拡げられていないならば、竿体の挿抜の際に当該竿体が第２シートとベースシートとの境界に引っ掛かり、円滑な挿抜作業が困難になるおそれがあるが、この発明では、そのようなおそれはなく、竿体の円滑な挿抜が実現される。
【００１２】
(3) 上記保持溝は、上側に向かって漏斗状に拡がっているのが好ましい。
【００１３】
この構成では、竿体を保持溝に挿入する作業がより一層容易になる。
【００１４】
(4) 上記保持溝は、上下方向に対して傾斜しているのが好ましい。
【００１５】
この構成では、保持溝に挿入された竿体は上下方向に対して傾斜することになるから、当該竿体は、自重により保持溝の壁面に押し付けられる。したがって、竿体は、一層安定的に保持される。
【００１６】
(5) 上記保持ブロックは、硬度２０〜６０（ＳＲＩＳ０１０１）のウレタンフォームからなるコア部材を備えているのが好ましい。
【００１７】
竿体を保持溝に挿入する作業は、すなわち保持ブロックに竿体を突き刺す作業である。この発明では、保持ブロックが上記コア部材を備えているので、釣人は、竿体をより簡単に保持ブロックに突き刺すことができる。しかも、保持ブロックが上記硬度のコア部材を備えることにより、保持ブロックが釣人の腰に押圧されたとしても釣人にとって違和感がなく、むしろ心地よいマッサージ効果が得られる。なお、このコア部材は、釣人の血行を向上させるマグネットを内蔵していてもよい。
【００１８】
(6) 上記保持溝は上下方向に対して０°（ｄｅｇｒｅｅ）を超え４５°以下の角度で傾斜しており、上記保持溝の溝幅は３０ｍｍ〜４０ｍｍに設定されているのが好ましい。
【００１９】
保持溝が上記角度で傾斜されることにより、竿体はきわめて安定的に保持され得る。また、保持溝の溝幅が上記寸法に設定されることにより、一般に市販されているタモの柄が簡単かつ確実に保持され得る。
【発明の効果】
【００２０】
本発明によれば、釣人は、竿体を保持ブロックに突き刺すことによって簡単に竿体を保持携帯することができるし、竿体を保持ブロックから引き抜くことによって迅速に竿体を使用することができる。したがって、たとえば防波堤での落とし込み釣り等において、タモ網及びタモの柄を簡易に携帯することができる。
【発明を実施するための最良の形態】
【００２１】
以下、適宜図面が参照されつつ、好ましい実施形態に基づいて本発明が詳細に説明される。
【００２２】
〈第１の実施形態〉
図１は、本発明の第１の実施形態に係るロッドホルダー３０が装着されたフィッシングベルト１０の斜視図である。
【００２３】
このフィッシングベルト１０は、典型的には防波堤での落とし込み釣りや、鮎釣り、渓流釣りの際に釣人の腰に装着されるものである。釣人は、種々の釣道具が取り付けられたフィッシングベルト１０を腰に着用することによって、実釣中及び釣場の移動中において釣道具を携帯することができる。本実施形態の特徴とするところは、フィッシングベルト１０にロッドホルダー３０が着脱可能に設けられており、このロッドホルダー３０にタモ網が保持可能になっている点である。
【００２４】
図２は、フィッシングベルト１０に取り付けられた状態におけるロッドホルダー３０の拡大図である。
【００２５】
図１及び図２が示すように、フィッシングベルト１０は、ベルト本体１２と、このベルト本体１２に設けられたソケット部材１３及びスタッド部材１４と、腰パッド１５と、ロッドホルダー３０とを備えている。
【００２６】
ベルト本体１２は、細長の矩形状に形成されており、可撓性を有する。ベルト本体１２を構成する材料は、例えば、ポリプロピレン（ＰＰ）、その他ポリエステル、ナイロン等が採用される。ソケット部材１３は、ベルト本体１２の一端に取り付けられており、スタッド部材１４は、ベルト本体１２の他端に取り付けられている。
【００２７】
ソケット部材１３及びスタッド部材１４は既知の構成である。具体的には、スタッド部材１４は、ベルト連結部１６と２つの係合爪１７とを備えている。ベルト連結部１６は環状に形成されており、ここにベルト本体１２の他端が巻回固定されている。スタッド部材１４がソケット部材１３に挿入されると、係合爪１７がソケット部材１３に係合する。一方、ソケット部材１３は、ベルト連結部２０とケース２１とを備えている。ベルト連結部２０は、スタッド部材１４のベルト連結部１６と同様に環状に形成されており、ここにベルト本体１２の一端が巻回固定されている。ケース２１の両サイドそれぞれに爪係止部２３が設けられている。この爪係止部２３に係合爪１７が嵌入される。スタッド部材１４がソケット部材１３のケース２１内に挿入されると、爪係止部２３に係合爪１７が嵌入して、爪係止部２３と係合爪１７とが係合する。これにより、ソケット部材１３とスタッド部材１４とが連結される。釣人は、係合爪１７をケース２１の内部側に押し込むように操作すると、各係合爪１７と爪係止部２３との係合が解除され、スタッド部材１４がソケット部材１３から離脱する。
【００２８】
腰パッド１５は、フィッシングベルト１０を装着した釣人の腰部を覆うものである。このため、腰パッド１５は、縦寸法が２０ｍｍ〜７０ｍｍ、横寸法が８０ｍｍ〜３００ｍｍに設定された横長の平板状に形成されている。腰パッド１５は、ベルト本体１２の長手方向に沿って配置されている。この腰パッド１５は、例えば、エチレン酢酸ビニル共重合体（ＥＶＡ）、ポリ塩化ビニル（ＰＶＣ）、ポリアミド（ＰＡ）、熱可塑性ゴム（ＴＰＲ）、サーモポリオレフィン（ＴＰＯ）、アクリロニトリルブタジエンゴム（ＮＢＲ）、天然ゴム（ＮＲ）、ポリエチレン（ＰＥ）等から構成され、その肉厚寸法は、１．０ｍｍ〜１０．０ｍｍに設定されている。これにより、腰パッド１５が十分な可撓性を有し、釣人の腰部にフィットする。
【００２９】
図１及び図２が示すように、腰パッド１５はベルト挿通環２７，２８を備えている。これらベルト挿通環２７，２８は、ベルト本体１２が挿通可能なサイズに形成されている。腰パッド１５がベルト本体１２に取り付けられる要領は、つぎの通りである。まず、ベルト本体１２の他端部がベルト挿通環２７に挿通される。このベルト本体１２の他端部は、図１が示すようにベルト本体１２の裏面２５の中央部を通り、ベルト挿通環２８に挿通される。そして、一旦、腰パッド１５の外面へ引き出されて、スタッド部材１４のベルト連結部１６に掛け回される。これにより、腰パッド１５がベルト本体１２に取り付けられる。なお、ベルト本体１２の他端部は、再び腰パッド１５のベルト挿通環２８に挿通され、裏面２５の中央部に沿って配置される。
【００３０】
図３及び図４は、ロッドホルダー３０の斜視図である。図３には、ロッドホルダー３０の表面の外観が示されている。図４には、ロッドホルダー３０の裏面の外観が示されている。図５は、ロッドホルダー３０の表面外観を示す平面図である。図６は、図５における切断線VI−VIの断面図である。
【００３１】
図３及び図５が示すように、ロッドホルダー３０は、ベースシート３２（本発明のベースシートの一例）と、一対のブロック３４，３５（本発明の保持ブロックの一例）と、サポートシート３７（本発明の第２シートの一例）と、保持溝３９（本発明の保持溝の一例）とを有する。
【００３２】
ベースシート３２は矩形状に形成されている。ベースシート３２の横方向４２の寸法（横寸法）は、腰パッド１５の横寸法に合わせて、８０ｍｍ〜３００ｍに設定され得る。また、ベースシート３２の縦方向４１の寸法（縦寸法）は、腰パッド１５を巻き付け可能な寸法に適宜設定され得る。また、ベースシート３２の肉厚寸法は、１．０ｍｍ〜１０．０ｍｍの範囲で設定され得る。
【００３３】
ベースシート３２は、弾性を有するシート状の部材（典型的には、クロロプレンゴム）からなる。したがって、ベースシート３２は、可撓性を有している。そのため、ベースシート３２は、平面状に展開された展開姿勢（第１姿勢、図３参照）と、腰パッド１５に巻き付けられて筒状に形成された筒状姿勢（第２姿勢、図２参照）とに姿勢変化可能である。また、ベースシート３２は、弾性を有するシート状の部材で構成されているため、少なくとも縦方向４１の伸縮性を有する。なお、本実施形態では、ベースシート３２は、縦方向４１のみならず、横方向４２、及び斜め方向にも伸縮可能である。
【００３４】
一対のブロック３４，３５は、ベースシート３２の表面４５に突設されている。この一対のブロック３４，３５は、表面４５における縦方向４１の中央付近において、横方向４２へ所定距離Ｄ（図５参照）だけ隔てられている。これらのブロック３４，３５は、概ね台状に形成されている。
【００３５】
ブロック３４は、図５において中央線４３よりも左側に配置されている。このブロック３４は、ベースシート３２の表面４５に接する底面５１（図６参照）と、底面５１に平行な上面５２と、底面５１から上面５２に至る側面５３〜５６とを有する。側面５３〜５６のうち、ブロック３５側の側面５３、及び横方向４２に延びる側面５４，５５は、表面４５に対して概ね垂直である。一方、ブロック３５側とは反対側の側面５６は、底面５１とのなす角が鋭角となっており、底面５１から上面５２に渡って傾斜している。また、側面５３は、図５の平面図において、縦方向４１に延びる中心線４３に対して角度φ１で傾斜している。本実施形態では、角度φ１は、概ね４５°（ｄｅｇｒｅｅ）に設定されている。なお、角度φ１の設定値は４５°に限られず、０°を超えて４５°以下の範囲（０°＜φ１≦４５°）で設定され得る。
【００３６】
図５が示すように、側面５３と側面５４とのコーナー部７１は、所定の曲率Ｒ１で湾曲している。また、側面５３と側面５５とのコーナー部７２は、上記曲率Ｒ１よりも大きい曲率Ｒ２で湾曲している。
【００３７】
図６が示すように、ブロック３４は、コア部５８（本発明のコア部材の一例）を有する。このコア部５８の外面がサポートシート３７によって被覆されることによって、ブロック３４が形成されている。コア部５８は、弾性を有する弾性部材を採用することができる。本実施形態では、コア部５８として、硬度２０〜６０（ＳＲＩＳ０１０１）のウレタンフォームが採用されている。これにより、ブロック３４は、適度な弾性を備える。なお、本実施形態における硬度は、日本ゴム協会標準規格（ＳＲＩＳ０１０１）のアスカーＣ硬度をいう。
【００３８】
ブロック３５は、図５において中央線４３よりも右側に配置されている。このブロック３５は、ベースシート３２の表面４５に接する底面６１（図６参照）と、底面６１に平行な上面６２と、底面６１から上面６２に至る側面６３〜６６とを有する。側面６３〜６６のうち、ブロック３４側の側面６３、及び横方向４２に延びる側面６４，６５は、表面４５に対して概ね垂直である。一方、ブロック３４側とは反対側の側面６６は、底面６１とのなす角が鋭角となっており、底面６１から上面６２に渡って傾斜している。また、側面６３は、図５の平面図において、縦方向４１に延びる中心線４３に対して角度φ２で傾斜している。本実施形態では、角度φ２は、上記角度φ１と同じ角度、つまり、概ね４５°（Ｄｅｇｒｅｅ）に設定されている。したがって、ブロック３４の側面５３とブロック３５の側面６３とは、概ね平行である。なお、角度φ２の設定値は４５°に限られず、０°を超えて４５°以下の範囲（０°＜φ２≦４５°）で設定され得る。
【００３９】
図５が示すように、側面６３と側面６４とのコーナー部７４は、上記曲率Ｒ２で湾曲している。また、側面６３と側面６５とのコーナー部７５は、上記曲率Ｒ１で湾曲している。
【００４０】
図６が示すように、ブロック３５は、コア部６８（本発明のコア部材の一例）を有する。このコア部６８の外面がサポートシート３７によって被覆されることによって、ブロック３５が形成されている。コア部６８は、上記コア部５８と同じ素材、つまり、硬度２０〜６０（ＳＲＩＳ０１０１）のウレタンフォームで構成されている。そのため、ブロック３５は、上記ブロック３４と同様に、適度な弾性を備える。
【００４１】
保持溝３９は、ベースシート３２の表面３２の中央部に設けられている。この保持溝３９に、落とし込み釣りや鮎釣り、渓流釣り等に使用されるタモの柄（本発明の竿体に相当）が挿通される。保持溝３９は、上述の如くブロック３４，３５が表面３２に設けられることによって、ブロック３４とブロック３５との間に形成される。具体的には、保持溝３９は、ブロック３４の側面５３とブロック３５の側面６３とによって区画される。本実施形態では、上述したように、側面５３及び側面６３は、共に、中心線４３に対して４５°に傾斜している。そのため、保持溝３９は、中心線４３に対して４５°に傾斜する方向へ延びている。
【００４２】
保持溝３９の溝幅Ｄは、魚釣りに使用されるタモの柄が挿通可能な寸法に設定されている。本実施形態では、市場に流通している大多数のタモの柄が挿通できるように、溝幅Ｄは、３０ｍｍ〜４０ｍｍの範囲内（３０ｍｍ≦Ｄ≦４０ｍｍ）に設定されている。
【００４３】
本実施形態では、コーナー部７１及びコーナー部７４が所定の曲率（Ｒ１，Ｒ２）で湾曲している。そのため、保持溝３９は、図５における上側の端部が上方へ向けて漏斗状に拡がっている。また、コーナー部７２及びコーナー部７５が所定の曲率（Ｒ２，Ｒ１）で湾曲している。そのため、保持溝３９は、図５における下側の端部が下方へ向けて漏斗状に拡がっている。即ち、保持溝３９の縦方向４１側の両端部は、漏斗状に拡がっている。
【００４４】
図５が示すように、サポートシート３７は、ベースシート３２の表面４５に設けられている。このサポートシート３７は、縦方向４１の中央において横方向４２へ延設されている。サポートシート３７は、コア部５８，６８の外面と、保持溝３９の内面とを覆っている。サポートシート３７の縦方向４１の縁部のうち、上記保持溝３９において縦方向４１の両端（本発明の保持溝の上端又は下端に相当）に対応する部位８２，８３は、縦方向４１の外向き（図５において上向き及び下向き）に延べ拡げられている。
【００４５】
サポートシート３７は、ナイロン、ポリエステル等からなる薄肉のシート部材からなる。したがって、保持溝３９にタモの柄が挿通されたときの滑りがよい。また、薄肉に形成されているため、サポートシート３７は、ベースシート３２と同様に、可撓性を有する。また、サポートシート３７がナイロン、ポリエステル等で構成されているため、タモの柄が挿通された際に保持溝３９の内面の摩耗や、釣人の腰に当接されるブロック３４，３５の上面５２，６２の摩耗が防止される。
【００４６】
図３及び図４が示すように、ベースシート３２は、ループシート７８とフックシート７９とからなる面ファスナーを備える。ループシート７８は、ベースシート３２の表面４５に取り付けられている（図３参照）。また、フックシート７９は、ベースシート３２の裏面４６に取り付けられている（図４参照）。ベースシート３２は、可撓性を有するから、その展開姿勢（図３及び図４参照）から、表面４５が外側面、裏面４６が内側面となるように筒状に湾曲させることにより、図２が示す筒状姿勢に変化する。
【００４７】
本実施形態では、ベースシート３２の裏面４６が腰パッド１５の裏面２５に対面された状態で、ベースシート３２が腰パッド１５に巻き付けられて筒状姿勢にされた後に、ループシート７８とフックシート７９とが重ね合わされて互いに係合される。これにより、図２が示すように、ベースシート３２が筒状姿勢を保持した状態でロッドホルダー３０がフィッシングベルト１０の腰パッド１５に取り付けられる。このとき、腰パッド１５の裏面２５側にブロック３４，３５が配置される。釣人は、実釣の際に、上述の如くロッドホルダー３０が取り付けられたフィッシングベルト１０を腰回りに装着する。フィッシングベルト１０が腰回りに装着された状態で、縦方向４１が釣人の立ち姿勢において上下方向に一致される。なお、釣人は、ロッドホルダー３０を腰パッド１５に沿ってスライドさせて、より良いポジションに移動させることが可能である。
【００４８】
防波堤から行われる落とし込み釣りや鮎釣り、渓流釣りの実釣においては、釣人は、フィッシングベルト１０を腰回りに装着する。このとき、ロッドホルダー３０のブロック３４，３５が腰に当接する位置に配置される。ブロック３４，３５は、ベースシート３２の表面４５に突設されているから、釣人がフィッシングベルト１０を装着した状態で、ブロック３４，３５が釣人の腰を押圧する。
【００４９】
釣人は、落とし込み釣りや鮎釣り、渓流釣りにおいてタモ網を使用する。フィッシングベルト１０を装着した釣人は、身体とロッドホルダー３０との間に形成された隙間、具体的には、身体と保持溝３９との間に形成された上下方向に貫通する筒状の隙間にタモの柄を挿入することによって、タモ網を釣人の背中側で保持携帯することができる。
【００５０】
特に、落とし込み釣りに使用されるタモの柄は、タモ網を海面まで届かせるために、複数のロッドが伸縮可能に構成された非常に長い（全長が５ｍ程度）ものであり、その重量も重い。このようなタモの柄であっても、釣人の身体と保持溝３９との間に挿入されると、ブロック３４の側面５３とブロック３５の側面６３とによってタモの柄が確実に保持される。したがって、長尺で重量の重いタモの柄であっても、釣人は、実釣中に安定して保持しながら携行することができる。これにより、釣人は、タモの柄を邪魔に感じることなく、釣りに集中することができる。なお、釣人の腰丈よりもタモの柄が長い場合は、保持溝３９の溝幅Ｄよりも大きいストッパーがタモの柄の適宜位置に取り付けられる。これにより、タモの柄は、地面から離れた位置で保持される。
【００５１】
また、保持溝３９を形成するブロック３４，３５がウレタンフォームからなるコア部５８，６８で構成されているため、保持溝３９の溝幅Ｄよりも大きい径を有するタモの柄が保持溝３９に挿入されると、ブロック３４，３５が保持溝３９を広げる方向へ弾性変形する。これにより、当該弾性力によってタモの柄が押さえつけられた状態で確実に保持される。
【００５２】
また、フィッシングベルト１０が釣人の腰回りに装着されると、ブロック３４，３５が釣人の腰に押し付けられて弾性変形する。これにより、釣人の腰がブロック３４，３５の弾性力で押圧される。釣人は、ブロック３４，３５によって腰が押圧されても違和感はなく、むしろ、押圧されることにより、心地よいマッサージ効果が得られる。なお、ブロック３４，３５のコア部５８，６８にマグネットが内蔵されていると、釣人の血行が向上するため、より好ましい。また、釣人の腰がブロック３４，３５によって押圧されるため、実釣中において腰が伸ばされる。そのため、釣人は、腰が伸ばされた健康的な姿勢で釣りをすることができる。
【００５３】
釣人は、ヒットした魚を取り込む場合には、タモの柄をロッドホルダー３０から引き抜いて、タモ網を操作する。本実施形態のロッドホルダー３０は、タモの柄を安定した姿勢で確実に保持しているため、釣人は、タモの柄が背中側に保持されていたとしても、それを目で探すことなく手探りで容易につかみ取ることができる。
【００５４】
また、ベースシート３２の表面４５にサポートシート３７が設けられているため、タモの柄が繰り返し挿抜されたとしても、ベースシート３２が損傷を受けることが回避される。しかも、サポートシート３７は、保持溝３９の縦方向４１側（上下方向側）の縁部に対応する部位８２，８３が外側へ延べ拡げられているから、釣人は、タモの柄の挿抜作業を円滑に行うことができる。
【００５５】
本実施形態では、保持溝３９が、中心線４３に対して４５°に傾斜する方向へ延びている。そのため、ロッドホルダー３０に挿入されたタモの柄は、その自重によってブロック３４の側面５３に押し付けられる。したがって、タモの柄は、一層安定的に保持される。
【００５６】
〈第２の実施形態〉
次に、本発明の第２の実施形態について説明される。図７は、本発明の第２の実施形態に係るロッドホルダー１００の表面外観を示す平面図である。
【００５７】
本実施形態に係るロッドホルダー１００が上記第１の実施形態に係るロッドホルダー３０と異なるところは、上記ロッドホルダー３０に設けられたブロック３４，３５に代えてブロック１０４，１０５が設けられている点である。なお、ロッドホルダー１００のその他の構成は、上記ロッドホルダー３０と同様である。したがって、上記ロッドホルダー３０と同様の構成については、その説明が省略される。
【００５８】
一対のブロック１０４，１０５は、上記第１の実施形態のブロック３４，３５と同様に、ベースシート３２の表面４５に突設されており、表面４５における縦方向４１の中央付近において、横方向へ所定距離Ｄだけ隔てられている。これらブロック１０４，１０５は、中心線４３を基準にして左右対称な形状に形成されており、しかも、左右対称に配置されている。また、各ブロック１０４，１０５の内部には、上記第１の実施形態のブロック３４，３５と同様に、コア部６８，６９が設けられている。
【００５９】
ブロック１０４は、中央線４３よりも左側に配置されている。このブロック１０４は、平面視で概ね三角形状に形成されており、上面１０７と、３つの側面１０８〜１１０とを有する。また、ブロック１０５は、中央線４３よりも右側に配置されている。このブロック１０５は、平面視で概ね三角形状に形成されており、上面１１１と、３つの側面１１２〜１１４とを有する。これらブロック１０４，１０５は、頂部を互いに向き合わせるようにして配置されている。これらブロック１０４，１０５の間に保持溝１１６が形成されている。
【００６０】
ブロック１０４の側面１０８，１０９は、図７の平面図において、中心線４３に対して角度φ３で傾斜している。また、ブロック１０５の側面１１２，１１３は、図７の平面図において、中心線４３に対して角度φ４で傾斜している。本実施形態では、角度φ３，φ４は、概ね４５°（ｄｅｇｒｅｅ）に設定されているが、０°を超えて４５°以下の範囲（０°＜φ３，φ４≦４５°）で設定され得る。このように側面１０８，１０９、及び側面１１２，１１３が中心線４３に対して傾斜しているため、保持溝１１６の縦方向４１側の両端部は、漏斗状に拡がっている。
【００６１】
このようなブロック１０４，１０５がベースシート３２の表面４５に設けられているため、本実施形態に係るロッドホルダー１００が取り付けられたフィッシングベルト１０を装着した釣人は、保持溝１１６からタモの柄を容易に挿抜することができる。また、ブロック１０４，１０５は、頂部を向き合わせたように配置されており、中心線４３に対して左右対称な形状であるため、釣人は、タモの柄を左右どちらの方向からも容易に挿抜することができる。
【００６２】
〈第３の実施形態〉
次に、本発明の第３の実施形態について説明される。図８は、本発明の第３の実施形態に係るロッドホルダー１２０の表面外観を示す平面図である。
【００６３】
本実施形態に係るロッドホルダー１２０が上記第２の実施形態に係るロッドホルダー１００と異なるところは、上記ロッドホルダー１２０の保持溝１１６に沿って保護シート１２３が設けられている点である。なお、ロッドホルダー１２０のその他の構成は、上記ロッドホルダー１００と同様である。したがって、上記ロッドホルダー１００と同様の構成については、その説明が省略される。
【００６４】
本実施形態のロッドホルダー１２０においては、ベースシート３２の表面４５に保護シート１２３が設けられている。この保護シート１２３は、ポリエステル、ナイロンなどのように、耐摩耗性を有する素材で構成されている。保護シート１２３は、ベースシート３２の中央部において縦方向４１へ延設されている。つまり、保護シート１２３は、保持溝１１６を被覆している。保護シート１２３の縦方向４１の両端部１２５，１２６は、保持溝１１６の溝幅よりも大きく、円弧状に延べ拡げられてる。
【００６５】
このような保護シート１２３がベースシート３２の表面４５において保持溝１１６を被覆しているため、釣人がタモの柄を繰り返し挿抜したとしても、ベースシート３２が摩耗或いは損傷することがない。
【産業上の利用可能性】
【００６６】
本発明は、魚釣りに使用されるタモ網を保持するロッドホルダー、特に、所謂落とし込み釣りに使用されるタモの柄を保持するためのロッドホルダーに適用され得る。
【図面の簡単な説明】
【００６７】
【図１】図１は、本発明の第１の実施形態に係るロッドホルダー３０が装着されたフィッシングベルト１０の斜視図である。
【図２】図２は、フィッシングベルト１０に取り付けられた状態におけるロッドホルダー３０の拡大図である。
【図３】図３は、ロッドホルダー３０の斜視図であり、ロッドホルダー３０の表面の外観が示されている。
【図４】図４は、ロッドホルダー３０の斜視図であり、ロッドホルダー３０の裏面の外観が示されている。
【図５】図５は、ロッドホルダー３０の表面外観を示す平面図である。
【図６】図６は、図５における切断線VI−VIの断面図である。
【図７】図７は、本発明の第２の実施形態に係るロッドホルダー１００の表面外観を示す平面図である。
【図８】図８は、本発明の第３の実施形態に係るロッドホルダー１２０の表面外観を示す平面図である。
【符号の説明】
【００６８】
１０・・・フィッシングベルト
１２・・・ベルト本体
１３・・・ソケット部材
１４・・・スタッド部材
１５・・・腰パッド
３０・・・ロッドホルダー
３２・・・ベースシート
３４，３５・・・ブロック
３７・・・サポートシート
３９・・・保持溝
４５・・・表面
４６・・・裏面
５８，６８・・・コア部
７８・・・ループシートと
７９・・・フックシート
８２，８９・・・部位
１００・・・ロッドホルダー
１０４，１０５・・・ブロック
１１６・・・保持溝
１２０・・・ロッドホルダー
１２３・・・保護シート
【図１】
2010041956.tif 000003
【図２】
2010041956.tif 000004
【図３】
2010041956.tif 000005
【図４】
2010041956.tif 000006
【図５】
2010041956.tif 000007
【図６】
2010041956.tif 000008
【図７】
2010041956.tif 000009
【図８】
2010041956.tif 000010